(57)【要約】 【課題】  従来の静電容量の変化による人体検出方法を用いた自動ドアでは、自動ドアを設置する場所ごとに静電容量センサの感度設定を行わなければならず、また自動ドア付近に設置されるセキュリティーキーを搭載したインターホンでは、自動ドアに開閉命令信号を送信する装置など余分な設備が必要となり、キーが外部から読取られる危険性もある。【解決手段】  生体検出装置（特願２００２−２４５９４４）を自動ドア周辺に設置して人体検出手段として用いることにより、人体検出が確実にでき異なる設置場所ごとに感度設定をする必要もなく、容易に設置可能である自動ドア開閉装置を提供すると同時に、人体検出装置に非接触あるいは接触式のセキュリティーキーをドア内部もしくはタッチパネル内部に設置することにより、後方に設置してあるメインの機械ではなく自動ドア部分で自動ドアを開閉するモードの設定や切り替えを行うことができる自動ドアを提供する。【選択図】  図１      
2005188129.tif 000002
【特許請求の範囲】
【請求項１】
生体検出装置（特許出願番号２００２−２４５９４４）を自動ドア開閉のスイッチ部に設置してドア開閉駆動装置として利用する自動ドア開閉装置。
【請求項２】
前記生体検出装置は、ドア表面の任意の場所、あるいはドア表面に設置されるタッチパネル内、あるいはドア側面に埋め込まれていることを特徴とした請求項１記載の自動ドア開閉装置。
【請求項３】
前記生体検出装置が埋め込まれた自動ドア開閉スイッチ部に自動ドアの開閉を設定するためのロック機能を有するセキュリティーキーが備え付けられていることを特徴とした請求項１記載の自動ドア開閉装置。
【発明の詳細な説明】
【技術分野】
【０００１】
本発明は、生体検出装置（特開２００２−２４５９４４）を利用した自動ドアの開閉装置および開閉時のセキュリティーキーに関する。
【背景技術】
【０００２】
従来の自動ドアの開閉装置は、人間がドア付近の床下にあるマットを踏んだことによる圧力を感知する圧力センサあるいは自動ドアの上に設置されている赤外線センサを用いて自動ドアの周辺にいる人間の存在を感知し、ドアが開閉する仕組みになっているが、上記のような従来の圧力や赤外線を用いた人体検出では、ドア内部に入る意思のない人間や動物あるいは風雨などでも感知してドアが開閉するという問題点があり、ドアガラス表面にタッチパネルを設置し、パネルを押す力でパネル内にあるメカスイッチが作動して、開閉スイッチが駆動して自動ドアが開閉する仕組みが採用されている（例えば、特許文献１参照。）。
【０００３】
さらに最近では、人体検出をより確実にするためにＧＮＤと電極と接触した人体との間の静電容量の変化による人体検出方法を自動ドア開閉用のセンサとして用いた自動ドアが開発されてきている。静電容量センサを上記タッチパネル内に設置しておけば、人間が接近しただけで人体を検知してドアを開閉させることができるため、誤検出も少なく、壊れにくいセンサ部を有する自動ドアを実現させることができる（例えば、特許文献２参照。
）。
【０００４】
また通常の自動ドアは人体を検出すると自動的にドアが開閉する仕組みになっているが
、集合住宅の共有玄関に設置されている自動ドアには、自動ドアの横にインターホンを兼ねた自動ドアの開閉を制御する装置が設置されていることがある（例えば、特許文献３参照。）。上記インターホンに付随しているテンキー付きタッチパネルやＩＣカードリーダー等をセキュリティーキーとして設置し、内部に進入する者を制限したり、自動ドアのタッチパネルを押しても開閉しないモードに設定したり通常モードに切り替えたりすることができる機能も付いている。
【特許文献１】特開２０００−０９０７６８号公報
【特許文献２】特開２００２−１４７１１７号公報
【特許文献３】特開２００２−３３９６５４号公報
【発明の開示】
【発明が解決しようとする課題】
【０００５】
しかしながら、上記のようなＧＮＤと人体との間の静電容量の変化による人体検出方法を用いた自動ドアにおいては、自動ドアを設置する際に、予め静電容量センサの感度設定を行わなければならない。即ち、同じ静電容量センサでも、建物の１階と２階で使用する場合はＧＮＤと人体との間の静電容量の基準値が異なるため、設置場所ごとに感度設定を行う手間が必要となる。
【０００６】
また自動ドア付近に設置されているセキュリティーキーを搭載したインターホンでは、自動ドアに開閉命令信号を送信する装置など余分な設備が必要となり、キーが外部から読取られる危険性もある。
【課題を解決するための手段】
【０００７】
本発明では、Ｌ−ＣまたはＲ−Ｃ共振回路を用いた空間電位検出装置である生体検出装置（特願２００２−２４５９４４）を人体検出方法として用いることによって、人体検出も確実にでき、異なる設置場所ごとに感度設定をする必要もなく、容易に設置可能である自動ドアを提供する。
【０００８】
さらに、人体検出するセンサ部分に非接触あるいは接触式のセキュリティーキーをドア内部もしくはタッチパネル内部に設置することにより、後方に設置してあるメインの機械ではなく自動ドア部分で自動ドアを開閉するモードの設定や切り替えを行うことができる自動ドアを提供する。
【発明の効果】
【０００９】
本発明は、生体検出装置を人体検出装置として自動ドアのスイッチ部に設置することにより、確実に人体検出することができ、かつ設置場所によって感度設定を変える必要がなく扱い易い自動ドア開閉装置を提供することが可能になる。
【００１０】
また同時に、スイッチ部分にセキュリティーキーを設置することにより、簡便なセキュリティーキーを自動ドアの開閉に搭載させた自動ドア開閉装置を提供することも可能になる。
【発明を実施するための最良の形態】
【００１１】
本発明の自動ドア開閉装置は、人体の検出方法として生体検出装置を利用している。当該生体検出装置は、誘電体として薄膜状のセラミックを使用しているため、設置場所の容量を気にすることなく、自動ドア表面および内部の至る場所に設置可能である。以下、自動ドア開閉装置が、自動ドア表面部のタッチパネル内部および床下マットに設置された場合（実施例１）、自動ドア開閉部両端に設置された場合（実施例２）、セキュリティーキーを搭載した場合（実施例３）を順次記述する。
【実施例１】
【００１２】
図１は、本発明の自動ドア開閉装置を自動ドア表面中央部のタッチパネル内部に設置したときおよび床下マットに設置したときの概略図である。図示したように生体検出装置１を自動ドア表面３の中央部にあるタッチパネル２の内部に設置した自動ドア開閉装置の場合は、人間がタッチパネルに軽く触れるあるいは接近するだけでタッチパネル内の生体検出装置１が生体である人間を検知してドアが開く。同様に床下マット４に生体検出装置１を設置した自動ドア開閉装置の場合は、人間が床下マット４に接触あるいは接近すると床下マット４内の生体検出装置１が生体である人間を検知してドアが開く。
【００１３】
またこの時、生体検出装置１は共振回路を用いて空間電位変化を検出する装置であり、薄膜状のセラミックを誘電体として用いることで、空間電位の変化をコンデンサの容量変化として検出することによって生体を検出できる装置であるから、従来の静電センサのようにＧＮＤと人体の間の静電容量を基準値として、検出装置の設置場所が変わるごとに基準値が変更になるため感度設定を調整する必要性は無く、いずれの設置場所においても同じ設定で使用することが可能である。
【実施例２】
【００１４】
図２は、本発明の自動ドア開閉装置を自動ドア開閉部両端５に垂直方向に設置したときの概略図である。図示したように生体検出装置１を自動ドア開閉部両端５に沿うように垂直に設置した場合は、人間が自動ドア開閉部周辺である生体検出範囲に接近すると生体検出装置１が生体である人間を検知してドアが開く。
【実施例３】
【００１５】
図３は、本発明の自動ドア開閉装置にセキュリティーキー６を搭載したときの概略図である。図示したように生体検出装置１を自動ドア表面中央部に設置されたタッチパネル２の内部に設置し、さらにテンキーあるいはアルファベットなどのセキュリティーキー６をタッチパネル２の表面に搭載する。通常開閉モードの場合は、実施例１と同じ様にタッチパネル２に人間が軽く触れるあるいは接近すると生体検出装置１が生体である人間を検知してドアが開く。
【００１６】
一方、タッチパネル２の表面に設置されたセキュリティーキー６の下にも個別に生体検出装置１を組み込むことにより、セキュリティーキー６ごとに人体が接触するだけでキーを作動させることができる。即ち、自動ドアのタッチパネル２に人体が接触しても自動ドアが開閉しないようにロックをかけるための暗証番号を、セキュリティーキー６を使って入力してロックモードに設定したり、自動ドアを開閉するためには設定されたＩＤ番号を入力しないと駆動しない個別モードに設定するような自動ドア開閉装置を提供することができる。
【００１７】
前記セキュリティーキー６は、図３のようにタッチパネル２の表面に突出して設けられるほかに、数字やアルファベットを印刷した導電性のシールやシートをタッチパネル２もしくは自動ドア表面に貼り付けるような形で設置することもできる。このような設置方法によって、タッチパネル２の正面にセキュリティーキー６を覆うように人間が立ってキー入力を行うことになるので、外部からキーを読取られる危険性は低くなる。
【００１８】
以上の実施例に限らず、本発明の自動ドア開閉装置は自動ドアのドア枠やドアガラス内部など自動ドア周辺の至るところに設置が可能であり、設置場所によって感度調整を変更する必要がない。またセキュリティーキーを搭載することにより、自動ドア本体で自動ドア開閉モードの設定や切り替えが可能であり、扱い易いうえに簡易なセキュリティー機能も搭載された自動ドア開閉装置を提供することができる。
【図面の簡単な説明】
【００１９】
【図１】本発明の自動ドア開閉装置を自動ドア表面中央部のタッチパネル内部に設置したときおよび床下マットに設置したときの概略図である。
【図２】本発明の自動ドア開閉装置を自動ドア開閉部両端の垂直方向に設置したときの概略図である。
【図３】本発明の自動ドア開閉装置にセキュリティーキーを搭載したときの概略図である。
【符号の説明】
【００２０】
１  生体検出装置
２  タッチパネル
３  自動ドア表面
４  床下マット
５  自動ドア開閉部両端
６  セキュリティーキー
【図１】
2005188129.tif 000003
【図２】
2005188129.tif 000004
【図３】
2005188129.tif 000005